Podtech/llm-jp-corpus-v4-ja_patent huggingface dataset:
(57)【要約】【課題】犬の糞については、安易に糞を取れる器具が無く、置きっ放しの糞を見かけることが多々あり、環境的に不衛生である。誰でも苦無く犬の糞を持ち帰り自宅で処理してもらうことを旨とし、器具については、軽量で、不衛生さを感じさせないもの。そして、使いかってがシンプルで、単調であること、保管に場所を取らないこと。【解決手段】犬が排便状態に入ったら、お尻の下に袋を取り付けたリング部を差し出し、袋の中に糞を受け止める。糞の入った袋はそのままの状態で２つに折り、巾着袋状態にすることで、臭いを防止し、持ち帰ることが安易に出来る。持ち手の後方に付随している紐部は保管時どこにでも吊るすことが出来、又は紐部を手にして持ち運ぶこともできる。【選択図】図１
2007312753.tif 000002
【特許請求の範囲】
【請求項１】
所定の外径を有したリング枠は、リング部と結合される持ち手部とから成り、リング部は折りたたみ可能である。リング部には専用袋を使用する事で、余分な部品・備品を必要とせず、安易に袋を設置使用できる。
リング枠のリング部と持ち手部との接続部分は固定されるようにリング部と持ち手部を一定型にするか、もしくはリング部と持ち手部はネジ等を用い、固定する。持ち手部の後方には紐を取り付け、不使用時には吊るすことも出来、持ち運びの時は、手にぶら下げることが出来る。
【請求項２】
袋全体の幅は、リング枠（円周）の長さ÷２の長さより広幅とする。
袋の開口部（上辺）、その幅はリング枠（円周）の長さ÷２の長さより狭くする。開口部上辺の幅を狭くするため、開口部の両脇部分に、リング枠（円周）の長さ÷２の長さより内側に、止め線を短く入れることにより、袋全体の幅より開口部（上部）は狭い幅となる。請求項１のリング枠の内側下より袋の開口部を潜らせ、リング枠の外側に袋の開口部を捲り、袋の開口部にある止め線がリング枠の下に位置するように設置することで、袋がリング枠に固定され、物を入れても、外れることが無い。
【発明の詳細な説明】
【技術分野】
【０００１】  本発明はペット（犬）の簡易トイレとしての糞取りに関する。
【背景技術】
【０００２】  従来ペット（犬）の糞に対しては、落とした糞を如何に処分するかが検討されてきたのに対し、この発明は犬が糞を落とす前に糞を取り込むという発想から来ている。
【特許文献１】  特開２００５−２６１４０３号広報
【発明の開示】
【発明が解決しようとする課題】
【０００３】犬の糞については、安易に糞を取れる器具が無く、置きっ放しの糞を見かけることが多々あり、環境上不衛生であるので、誰でも苦無く犬の糞を持ち帰り自宅で処理してもらうことに協調しやすい環境作りのための器具である。【０００４】器具は、軽量で、コンパクトで、不衛生さを感じさせないもの。そして、使いかってがシンプルで、単調であること、保管するのに場所を取らず、器具が汚れたら、簡単に洗い流せること。【０００５】室内での簡易トイレとしても利用できる。
【課題を解決するための手段】
【０００６】折りたたみ可能なリング部と持ち手部とから成り、リング部と持ち手は一体型、もしくはネジ等で固定され、持ち手の後部には紐を取り付けると、使用しない時など、どこにでも吊るすことが出来、持ち運びの時に紐部分を手に掛けて持つこともできる。【０００７】犬が排便体制をとり始めた時、袋を取り付けたリング部を犬のお尻の下に差し出し、糞を受け取る。糞を入れた袋は器具に取り付けられた状態で、２つに折りたたみ、巾着袋状態にすることで、糞の臭いを防止する事ができる。また、袋の材質を、省資源・省エネルギーの観点から、極力リサイクル原料利用製品とすべきだと考え、雑色ポリの再生製品等を利用する事で、外観の不快をも解消する。【０００８】糞をうまく受け止められず、路上などに落としてしまった時などは、器具を逆さまにして、袋の底から手を入れて、糞を拾いそのまま２つに折り、巾着袋状態にして糞を持ち帰る。【０００９】リング部に取り付ける袋について、袋全体の幅はリング枠（円周）の長さ÷２の長さより広幅とするが、袋の開口部（上辺）は狭くするために、開口部上辺の両脇部分に、リング枠（円周）の長さ÷２の長さより内側に開口部を狭くするための、止め線を短く入れる。それにより、袋をリングに取り付けた時、袋を引っ張っても狭くなった開口部がリングに引っ掛かり、袋が付属部品を使わなくても簡単に取り付けられる。
【産業状の利用可能性】
【００１０】この発明はペット（犬）の飼い主、及び付人がペットの糞に関し、簡易トイレとして利用できる器具であり、ペット（犬）の糞の後始末を安易にするための器具である。
【図面の簡単な説明】
【００１１】
【図１】リング枠部に袋を取り付けた状態。袋がリング部に引っ掛かり、物を入れても外れることは無い。
【図２】リング部に袋を取り付ける手順１である。リング内側の下から袋の開口部を上に出す。
【図３】リング部に袋を取り付ける手順２である。袋開口部、止め線部分の片方をリング枠の外側に捲るように袋を下方に降ろす。もう片方を引っ張るようにして同じようにリング枠の外側に捲る。袋を捲る時は、袋の開口部で狭くなるよう作られた止め線部分がリングより下方に位置するように捲る。
【図４】袋を器具に取り付けたまま、２つに折りたたんだ状態。大きな巾着袋のような形になり、中が密閉され、臭気が外に漏れにくい、また袋が有色であれば袋の中身が見えることなく、不快感を与えることが無い。
【図５】糞とり器具使用の流れ図。（ａ）犬が排便の体制に入ったら、お尻の下に器具を手で持ったまま差し出す。（ｂ）糞とり器具が間に合わず、路上などに糞が落ちた場合は、器具を逆さまにして袋の底辺から手を入れ、糞を取る（ｃ）糞を入れた状態で２つに折りたたみ持ち帰る。（ｄ）持ち帰った糞はトイレに、汚れた袋は燃えるゴミへ分別処理する。
【図６】専用袋について  袋は焼却処分対象品なので、燃やしても安心とされるポリエチレンの袋、省資源・省エネルギーの観点から、極力リサイクル原料利用製品とすべきだと考え、雑色ポリでできる再生製品の黒い袋等を利用する。袋全体の幅は（６ｂ）であり、リング枠（円周）の長さ÷２の長さより広幅とする。袋の開口部（６ａ）その幅は開口部上辺の両脇部分に、リング枠（円周）の長さ÷２の長さより内側に止め線（６ｃ）を短く入れることにより、袋全体の幅より開口部（上部）は狭い幅となる。（６ｃ）は袋の幅を狭くするための止め線で、熱加工などで２箇所をプレスする。
【符号の説明】
【００１２】  （１）リング枠
（２）持ち手
（３）袋
（４）紐
（６ａ）袋の開口部
（６ｂ）袋全体の幅
（６ｃ）袋幅の止め線
【図１】
2007312753.tif 000003
【図２】
2007312753.tif 000004
【図３】
2007312753.tif 000005
【図４】
2007312753.tif 000006
【図５】
2007312753.tif 000007
【図６】
2007312753.tif 000008
(57)【要約】【課題】  食材を通常法のように大気中で加熱調理すると、表面が硬くなったりして、食材本来の品質を劣化させるなどの問題がある。【解決手段】  本法では、肉、魚や野菜類などの食材を、酸化防止ガス、例えばアルゴン、窒素ガスなどのガス雰囲気中で加熱調理することで、表面が軟らかくなるなど良好な品質を有する調理食材を得ることができる。またこのような調理ができる装置を提供する。【特許請求の範囲】
【請求項１】
食材を加熱調理する際に、食材を酸化防止ガス雰囲気内に挿入して、食材の酸化を防止して加熱調理する方法。
【請求項２】
請求項１に記載の酸化防止ガスとして、アルゴン、窒素を使用して、食材の酸化を防止して加熱調理する方法。
【請求項３】
請求項１および２に記載の調理を目的とするシステムを有する加熱調理装置。
【発明の詳細な説明】
【技術分野】
【０００１】  本発明は、肉、魚、野菜類などの一般的に多用されている食材を加熱調理する際に、従来のように食材を大気中で加熱するのではなくて、酸化防止ガスの雰囲気中で加熱して、食材の表面をできるだけ酸化させないようにして加熱調理する方法およびそのような調理ができるシステムを有する装置に関するものである。本発明の加熱調理方法によって、または、このシステムを有する装置を用いて、加熱調理された食材は、表面が酸化されていない、もしくは酸化が少ないために、食材の内部および表面において、食材本来の味覚が発揮され維持されて、料理品質がきわめて良好なものがえられる。
【背景技術】
【０００２】  従来、肉、魚、野菜類などの食材を加熱調理する際には、例えば、食材を鍋など調理容器の中に入れて大気中で加熱して食材の表面を酸化させて、食材本来の品質を変化させた状態で仕上げていた。この通常の方法で加熱調理された食材は、内部は本来の調理品質をほぼ維持して良好であるが、特に表面もしくは表面近傍は酸化されて硬くなるなどして味覚に変化を生じて、食材の本来の調理味覚を保持できなくなったりして、したがって、よりよい味覚を求めて改善が強く求められている。
【発明の開示】
【発明が解決しようとする課題】
【０００３】  従来から用いられている食材の加熱調理方法は、食材を加熱調理容器内に入れて大気中で加熱する方法であった。この方法によると、食材の品質は内部は本来の品質をほぼ保持し良好であるが、表面は酸化されるなどして硬くなったりし、出来上がった調理食材の全体の品質が不良となっている。また、食材を水などの液体に入れて煮る、いわゆる液体中での加熱調理する方法があるが、この方法では、肉、魚、野菜などの固形の食材の表面は酸化されにくいが、固形食材より味が液体内に流出して、固形食材本来の味が失われて好ましくない。
【課題を解決するための手段】
【０００４】  本発明は、従来の大気中加熱調理法に代わって、肉、魚や野菜類などの食材を、例えば、アルゴンや窒素などを主成分とする酸化防止ガス雰囲気中で加熱調理し、食材の、特に表面酸化を出来るだけ防止して調理する方法およびこのような調理ができるシステムを有する加熱調理装置に関するものである。【０００５】  本発明において、食材とは、肉、魚などの動物系、野菜類などの植物系の一般的食材のことであり、使用の過程においては、その形状は大小多様であり、特に限定しない。加熱方法は、肉、魚、野菜などの食材を蓋付の密閉容器に入れ、容器内を、アルゴンや窒素などの酸化防止ガス雰囲気として、食材ができるだけ酸化されないようにして加熱調理する。ガスの雰囲気は、ガスを容器内に充満させる方法、または、ガスを流して気流状態にする方法のいずれの方法でもよい。温度は、調理する食材にあわせて定めればよく、これも目的に応じて定めればよく、特に限定しない。この方法によって調理された食材の品質は、内部、表面ともに良好なものを得ることができる。品質としては、硬さ、味覚などで判断される。【０００６】  本発明で使用される酸化防止ガスの種類は、アルゴンまたは窒素ガスなど、または酸化を防止できるガスで通常使用されている純度のものでよい。食材は、常温大気中で調理容器内に予め入れておき、しかる後大気を酸化防止ガスに置換するか、あるいは雰囲気を大気から酸化防止ガスに予め置換して充満あるいは気流状態にしたところに、できるだけ大気が混入しないようにして、食材を早く挿入するか、あるいは、ガス雰囲気を満たした容器を予め所定の温度に加熱しておいて、その中に食材を速やかに挿入してもよい。加熱方法は発熱体による直接加熱、あるいはある壁を通じて、加熱する間接加熱のいずれでもよく、加熱方法は限定しない。加熱温度、時間も、調理される食材の種類および要求される品質に応じて決めるので、特に限定しない。酸化防止ガス雰囲気中で食材を加熱調理した後の処置方法も、ガス雰囲気中での冷却、もしくはそのまま大気中にとり出して、自然冷却のいずれでもよく、特に限定しない。【０００７】  本発明の加熱調理を目的とするシステムを有する装置とは、食材が出し入れできる蓋付容器で、しかもその容器内に雰囲気ガスが満たされる、もしくは気流できる密閉型の容器、そしてその中の食材を加熱、保持、冷却することが出来る仕組み、すなわちこれらのシステムを有するものである。食材の出し入れの為の容器の蓋の開閉、容器内へのガスの流入出、そして加熱、保持、冷却の仕組みを有する装置であり、その大きさは、調理する食材の大きさに依存するので、特に限定しない。調理後の食材の冷却は、熱源を遮断し、もしくは食材を容器内より大気中に取り出せるようにするものである。【０００８】  本発明によって加熱調理された食材の品質は内部、表面ともに良好である。調理後の食材は軟らかく、味覚もよい品質を有し、加熱調理後、これに種々の調味料を加えるなどの処理を施すと、さらなる味覚向上が期待できる。
【発明を実施するための最良の形態】
【０００９】  本発明は、肉、魚、野菜などの食材を酸化防止ガス雰囲気中で加熱調理して、食材の特に表面の酸化をできるだけ防止して加熱調理する方法およびそれを目的としたシステムを有する装置に関するものである。この方法によって、品質のよい加熱調理された食材を提供するものである。
【実施例１】
【０００１０】  食材に、肉として牛肉、魚として鯛、そして野菜として人参について、酸化防止加熱処理のシステムを有する装置を用い、雰囲気ガスとしてアルゴンおよび窒素のガスを用い、加熱調理された食材の品質について調べた結果を〔表１〕に示す。
この結果からもわかるように、肉、魚、野菜などの食材をアルゴンガス、窒素ガスなどの酸化防止ガス雰囲気中で加熱調理したものは、品質的に、特に表面も軟らかく良好な調理材がえられることがわかる。【００１１】  本発明は、以上のように構成されているので、以下に記載されるような産業上の利用可能性を有する。
本発明は、肉、魚、野菜類のような一般的に多用されている食材を、酸化防止ガス雰囲気中で加熱調理して、良好な品質を有する食材を提供するものである。良好な品質を有する食材を提供することで産業上の利用価値は高い。
【表１】
2007312763.tif 000002
(57)【要約】【課題】きれいに切れないロールペーパーを簡単に切断し、ロールペーパーの切り口がきれいで掴みやすく、取出し易く安全なペーパーホルダーを提供する。【解決手段】  ロールペーパーに張力をつくり、ペーパーを切断しやすくする装置を有し上下２枚の切断刃により、きれいに切断できる。  下部本体に付属する回転受板により、ロールペパーの保持固定が簡単にできホルダー前面にペーパーの掴み部が垂れ下がる。  本体上部先端部により上下の切断刃がカバーされ、指先が保護され安全である。これらを特徴とするロールペーパーホルダーである。【選択図】    図１
2007312865.tif 000002
【特許請求の範囲】
【請求項１】
ロールペーパーホルダーの上部本体にロールペーパーを切断する切断刃を有し上部本体を押す事によりロールペーパーが切断される事を特徴とするペーパーホルダー
【請求項２】
請求項１のロールペーパーホルダーの上部本体を押す事により下部本体に付属する受板が前後に移動し、ロールペーパーを切断する事を特徴とするペーパーホルダー
【請求項３】
請求項１、請求項２のロールペーパーホルダーであってペーパーを切断する切断刃を上部切断刃と下部切断刃に分かれて二つ備える事を特徴とするペーパーホルダー
【請求項４】
請求項３にあっては、下部受板に下部切断刃を付属し上部切断刃は下部受板と下部切断刃の間に入り込みロールペーパーを切断する事を特徴とするペーパーホルダー
【請求項５】
請求項３にあっては、上部切断刃の形状はＶ字型・Ｕ字型・直型とする。下部切断刃は、同様の形状とする下部切断刃は上部切断刃より角度が大きい事によりロールペーパーの中心部より切断する事を特徴とするペーパーホルダー    
【請求項６】
請求項１のロールペーパーホルダーの上部本体を押す事により上部本体の円弧の切り欠きにより、下部本体に付属する回転受板を正回転・逆回転することを特徴とするロールぺーパーホルダー        
【請求項７】
下部本体に付属する回転受板は、ロールペーパーに張力を作るために逆回転しペーパーを前面に押し垂らすために正回転もする事を特徴とするペーパーホルダー        
【請求項８】
上部本体の先端部と下部本体の受板の動きによりペーパーを保持固定する事ができる事を特徴とするペーパーホルダー              
【請求項９】
請求項７のペーパーホルダーであって、スポンジ、ゴム、布などを取り付ける事によりペーパー保持固定力が増加することを特徴とするペーパーホルダー            
【請求項１０】
請求項６にあっては、回転受板にＳ字形にロールペーパー押さえ板を付属する事を特徴とするペーパーホルダー    
【請求項１１】
上部本体・下部本体の各可動部にベアリング・スプリングを設置する事を特徴とするペーパーホルダー        
【請求項１２】
請求項６・請求項７にあっては、回転受板の円弧運動により下部受板の前後運動に連動する事を特徴とするペーパーホルダー            
【発明の詳細な説明】
【技術分野】
【０００１】
本発明はペーパーホルダーを使用する時、簡単に片手で切れ、次に使用の人が切り口を片手で簡単に取り扱えるペーパーホルダーに関するものである。            
【背景技術】
【０００２】
ロールペーパーホルダーにペーパーをセット終了後、ペーパーホルダーのカバー部を利用してペーパーをカットしなければならなかった。その為ペーパーの切り口がカバー部に隠れ次に利用する時ペーパーが引き出しにくい面がありました。            
【特許文献１】特開２００６−８７６６２号公報
【発明の開示】
【発明が解決しようとする課題】
【０００３】
解決しようとする問題点は、ロールペーパーの切り口がカバーに隠れ引き出しずらく掴み出しにくいものである。老人、幼児、障害者誰でも簡単に安全、きれいに取り扱いのできるロールペーパーホルダーを提供するものである。      
【課題を解決するための手段】
【０００４】
本発明は、従来のペーパーホルダーに簡単に取り付けができるものとする。ペーパーホルダーの上部本体に付属する切断刃と下部本体に付属する切断刃による二つの切断刃によるペーパーの切断を可能にして、切断終了後はカバー部前面に掴み易い長さのペーパーが垂れ下がるものである。                   
【発明の効果】
【０００５】
ロールペーパーの取扱いが簡単にでき、老人・幼児・身障者にも不便を与えない安全無駄のないペーパーホルダーである。                      
【実施例１】
【０００６】
本発明のペーパーホルダーは上部本体と下部本体二つに分かれており、ロールペーパーの取換えも簡単に行う事ができる。〔図４〕              
【実施例２】
【０００７】
ロールペーパーの切断刃においては、上下二つの切断刃により確実にきれいに切断できる。〔図５〕        
【実施例３】
【０００８】
下部本体に付属する回転受板が逆転する事によりロールペーパーに張力を与え正回転することによりロールペーパーが前面に垂れ押し出される。〔図３〕            
【産業上の利用可能性】
【０００９】
本発明は、従来のペーパーホルダーにも簡単に取付けが可能であり又、ソフトタッチで使用でき老人・幼児・身障者にも容易に使用可能であり、トイレを気持ちよくきれいに使用できるペーパーホルダーである。            
【図面の簡単な説明】
【００１０】
【図１】本発明の全体斜視図
【図２】本発明の側面図（ペーパーカット前）
【図３】本発明の側面図（ペーパーカット後）
【図４】本発明の側面図（ロールペーパー取付け状況）
【図５】本発明の正面図
【図６】本発明の平面図（下部本体）
【符号の説明】
【００１１】
１   上部本体    
２   下部本体      
３   上部切断刃    
４   下部切断刃    
５   下部受板      
６   回転受板      
７   ベアリング    
８   ローラー      
９   スポンジ・ゴム・布
１０   コイルバネ    
１１   Ｓ字形ペーパー押え
１２   円弧の切り欠き    
【図１】
2007312865.tif 000003
【図２】
2007312865.tif 000004
【図３】
2007312865.tif 000005
【図４】
2007312865.tif 000006
【図５】
2007312865.tif 000007
【図６】
2007312865.tif 000008
(57)【要約】      （修正有）【課題】簡便ですぐに釣りをする事が出来る釣具の実現。【解決手段】中空状の空間を有する糸巻きリールと中空状の空間を有する握り柄２００を一体化させて、両者の空間を共有させた中空状の空間を構成し、該中空状の共有空間に振り出し竿１０を収納する糸巻きリール一体型釣竿である。糸巻きリールは糸巻きハンドルを操作して回転自在に支承された回転部１００Ｂを回転させて釣り糸を巻き取るが、振り出し竿が収納された中空状の共有空間はローラー１９０で支持されており、回転部１００Ｂの回転に伴って回転することはなく、釣り竿の操作に支障はない。【選択図】図１
2007312636.tif 000002
【特許請求の範囲】
【請求項１】
中空状の糸巻きリールの中空内に、釣竿を収納してなる釣竿
【請求項２】
中空状の糸巻きリールに中空状の握り柄が接続され、この両者の中空内に釣竿を収納してなる釣竿
【発明の詳細な説明】
【技術分野】
【０００１】
本発明は釣り竿に関する。
【背景技術】
【０００２】
一般的に、釣竿と釣糸巻きリールをは別々であり、釣りをする際には釣竿に釣糸巻きリールを取り付ける必要があった。
【０００３】
この不便を解消するため糸巻きリールと釣竿を一体的にすることが考えら、提案されている。
この「糸巻きリールと釣竿が一体的である釣竿」の例として特許文献１がある。
【０００４】
この他、色々な、「糸巻きリールと釣竿が一体的である」釣竿が提案されているがこれらは、いずれも釣竿の中に糸巻きリールが内臓さたものである。
【０００５】
【特許文献１】特許３０２９０１９号
【発明の開示】
【発明が解決しようとする課題】
【０００６】
上記した従来の、釣竿の中に糸巻きリールが内臓さたもの、では、この糸巻きリールがつり竿内に隠されているので、釣り糸が絡まった際には糸巻きリールを直接に取り扱うことが出来ない。
【課題を解決するための手段】
【０００７】
本発明では釣竿の中に糸巻きリールを内臓するのではなく
糸巻きリールの中に釣竿を内臓する。
【発明の効果】
【０００８】
糸巻きリール及び釣り糸は釣り竿の中に隠される事無く、外部に晒されるので、釣り糸が絡まった際にも、糸巻きリールを直接に触れて取り扱う事ができる。
【０００９】
これにより、釣竿に釣糸巻きリールを取り付る必要がなく、且つ釣り糸が絡んでも、糸巻きリールを触ることが出来る糸巻きリール一体型釣竿を実現できるのである。
【発明を実施するための最良の形態】
【００１０】
糸巻きリールと握り柄が接続され、この両者の中空内に釣竿をする実施例について図を使い説明する。
【００１１】
中空状の糸巻きリール１００に、中空状の握り柄２００が取り付けられ、両者の中空部は合致して収納空間３００を形成し、この中に振り出し竿１０が収納される。
【００１２】
回転部１００Ｂは固定部１００Ａと鞘部１００Ｃにローラー１９０で回転自在に支承され、巻取りハンドル１８０の回転力は固定部１００Ａに内臓されたべベルギア１２０を経由して駆動歯車１２５を介してにこの回転部１００Ｂに回転を伝達する。
【００１３】
これにより、収納空間に収納された振り出し式釣竿１０は回転することはないので竿の操作には影響しない。
【図面の簡単な説明】
【００１４】
【図１】本発明の断面図
【図２】本発明の側面図
【符号の説明】
【００１５】
１０      振り出し竿
１００    糸巻きリール  
１００Ｂ  糸巻きリール回転部
１００Ａ  糸巻きリール固定部  
１００Ｃ  糸巻きリール鞘部
１２０    べベルギア
１２５    駆動歯車
１８０    巻取りハンドル
１８５    巻取りハンドル回転軸
１９０    回転支持ローラー
２００    握り柄
３００    中空部
【図１】
2007312636.tif 000003
【図２】
2007312636.tif 000004
(57)【要約】【課題】  酢飯の製造過程で、送風・撹拌の作業を省略して、手間暇かけることなく米飯に酢液を味付けすることができるようにすることにある。【解決手段】  醸造酢、砂糖、塩等と共に、キサンタンガム・クアガム等のガム類で、ｍＰａ・Ｓ値５，０００以下の粘度とした、増粘剤を混合したことを特徴とする寿司飯用調味液であり、この寿司飯用調味液に、米飯を浸漬して寿司飯を製造し、或いはこの寿司飯用調味液を、米飯に上方から散布・滴下して流下させて寿司飯を製造する。【選択図】        なし【特許請求の範囲】
【請求項１】
醸造酢、砂糖、塩等と共に、キサンタンガム・クアガム等のガム類で、ｍＰａ・Ｓ値５，０００以下の粘度とした、増粘剤を混合したことを特徴とする寿司飯用調味液。
【請求項２】
請求項１に記載の寿司飯用調味液に、米飯を浸漬することを特徴とする寿司飯の製造方法。
【請求項３】
請求項１に記載の寿司飯用調味液を、米飯に上方から散布・滴下して飯粒間を流下させることを特徴とする寿司飯の製造方法。
【発明の詳細な説明】
【技術分野】
【０００１】
本発明は、寿司飯用の調味液と、この調味液を用いた寿司飯の製造方法に関する。
【背景技術】
【０００２】
米飯に酢の味をつけた寿司飯は、にぎり寿司、押し寿司、ちらし寿司、巻き寿司、稲荷寿司等の食材として多くの需要があり、広く好まれている。
【０００３】
この寿司飯の製造は、炊きたての高温を維持した米飯に醸造酢、砂糖、塩等で調合した酢液をかけ回し、団扇等による送風下で米飯を手早く撹拌するもので、全ての飯粒に酢液を満遍なく行き渡らせるものである。この過程で、高温の炊きたての飯粒の表面に付着した酢液は、水分と揮発成分が急速に蒸散し、酢液の濃度と粘度が上昇することによって生じる付着力と冷却過程で生じる浸透力により、米飯に味付けされる。
【０００４】
この従来の手段による米飯の調味では上記した送風・撹拌過程が不可欠で、熟練した技術を必要として手間暇を要するため、家庭用であろうと業務用であろうと自家製造が敬遠される傾向にあり、画一的でこだわりの無い既成の市販寿司や寿司飯の購入が主となり、独自の特徴ある自家の味が消えていた。
【０００５】
即ち酢液が適度に味付けされ美味な酢飯を得るには、製造過程でのノウハウを含む熟知した送風・撹拌作業が必要な訳であり、この作業が従来は負担となっていた。しかしながらこの過程を省略して従来の酢液を米飯塊にかけ回すと、酢液は各飯粒の隙間を通過して辿り、殆どが素通りして下方に流れ去ってしまうので飯粒への充分な付着と浸透が行われず、極端な味むらが生じ、美味な調味が達成されない。
【特許文献１】特開２００３−１６９６２４号公報
【発明の開示】
【発明が解決しようとする課題】
【０００６】
上記特許文献１の発明「酸性粘性調味液」は、「酸性度が強く、付着性に優れ、粘度が上限でｍＰａ・Ｓ値２０，０００と高くて垂れにくく、かつ粘性が長期間に渡り安定」するとするものであるが、あくまでも「一枚当たり１０乃至２０ｇ即ち１０，０００乃至２０、０００ｍｇ大の寿司ネタに塗って調味するのに適した」とするものであり、一粒が４０乃至５０ｍｇ大で２００乃至５００分の１しかない小粒の集合である米飯に対応させて美味な寿司飯を製造できるものではない。
【０００７】
よって本発明は、上記従来の欠点不都合を解消するべく開発されたものであって、酢飯の製造過程で、送風・撹拌の作業を省略して、手間暇かけることなく米飯に酢液を味付けすることができるようにすることを目的とする。
【課題を解決するための手段】
【０００８】
上記課題を解決するため本発明の寿司飯用調味液は、醸造酢、砂糖、塩等と共に、キサンタンガム・クアガム等のガム類で、ｍＰａ・Ｓ値５，０００以下の粘度とした、増粘剤を混合したことを特徴とする構成である。
【０００９】
また、上記の寿司飯用調味液に、米飯を浸漬することを特徴とし、或いは上記の寿司飯用調味液を、米飯に上方から散布・滴下して飯粒間を流下させることを特徴とする構成である。
【発明の効果】
【００１０】
請求項１に記載の寿司飯用調味液の本発明は、醸造酢、砂糖、塩等と共に増粘剤を混合し、粘度をｍＰａ・Ｓ値５，０００以下に調整した構成となっているので、所謂粘り気が或る程度付与されることになる。
【００１１】
従って請求項２のように米飯を寿司飯用調味液に浸漬すると、寿司飯用調味液は米飯の飯粒間に毛細管現象により染み込み、満たされて、その粘度で飯粒の表面に付着するので、送風・撹拌の作業を省略して米飯に寿司飯用調味液を味付けすることができる。
【００１２】
或いは請求項３のように寿司飯用調味液を米飯に上方から散布・滴下すると、寿司飯用調味液は自重でその粘度に応じて緩慢に飯粒表面を辿って飯粒間を流下し、その経路で飯粒表面に付着し、飯粒間に毛細管現象により染み込む。
【００１３】
即ち本発明の寿司飯用調味液は、増粘剤の粘着力により飯粒表面に安定して付着留置した後に染み込むのである。但しここでは送風・撹拌作業が省略されているので、各飯粒にあっての表面に対する寿司飯用調味液の付着留置量に若干の差異が生じるであろうことは否めない。しかしながらこの本発明により味付けられた寿司飯にあっては、人が賞味した場合、或る程度の付着留置量の若干の差異は味むらとしては感知しない。寿司ネタや醤油等と共に一口の寿司飯を口中で味わう際、一粒一粒で調味液の酢の味を感じる訳ではなく、総合的な味覚だからである。
【００１４】
よって本発明によれば、送風・撹拌の作業を省略して米飯に寿司飯用調味液を味付けすることができ、従って寿司飯造りの達成が容易であり、米飯は炊きたてでなくても或る程度の保温状態であれば良いため、所望量の寿司飯を随時製造できる等、多くの優れた作用効果を奏する。
【発明を実施するための最良の形態】
【００１５】
寿司飯用調味液にあって増粘剤は、キサンタンガム・クアガム等の多糖類のガム類で、粘度をｍＰａ・Ｓ値５，０００以下に調整する。上記した多糖類のガム類を選択したのは、温度による粘度の変動が小さいからである。また粘度を上記した値以下にしたのは、飯粒間を或る程度の流通性をもたせながら浸透し、且つ付着粘度を確保するためである。
【００１６】
米飯を本発明の寿司飯用調味液に浸漬して味付けするには、米飯を収納したざる状水切り容器を、寿司飯用調味液を収納した所定の容器内に入れ、一度水没状態にしてから引き上げ、水切りを行えば良い。
【００１７】
米飯に本発明の寿司飯用調味液を散布・滴下して味付けするには、寿司飯用調味液を所定の加圧射出具を用いて米飯上の全域に均等に散布し、数分静置させて自重流下を待てば良い。
【実施例１】
【００１８】
寿司飯用調味液に於ける調味剤は、好みに応じて選択設定されるものであるが、例えば醸造酢１００に対し、砂糖８３、塩１６といった重量比が一般的である。
【００１９】
米飯塊は、一粒が４０乃至５０ｍｇ程度の小粒の集合であり、例えば握り寿司一個の平均重量とされる２０ｇの米飯塊は、４００乃至５００の飯粒で構成されることになる。従って、仮にこの半分の量の本発明の寿司飯を口中に含んでも飯粒は２００粒以上あり、一粒一粒の調味液の酢の味を感じることはむしろ不可能で、寿司ネタや醤油等と共に総合的・全体的に味わうものであるから、本発明の如く寿司飯用調味液が粘性をもって米飯に概ね散在付着していれば寿司飯として充分に賞味堪能することができる。
(57)【要約】【課題】  粘着ラベル付き記録材などから感光体に付着した粘着物を確実に除去し、粘着物による印刷障害を低減する。【解決手段】  清掃装置(8)に対して感光体移動方向下流側で、且つ帯電器(2)に対して感光体移動方向上流側となる位置に、複数のブレード部材(9,10)を、感光体移動方向において前後の位置関係で配置し、複数のブレード部材を、それぞれ独立に感光体表面に接離させるブレード駆動手段(11,12,13,14)を備えた。【選択図】  図１
2007298640.tif 000002
【特許請求の範囲】
【請求項１】
感光体を帯電させる帯電器と、帯電した感光体に静電潜像を形成する露光装置と、前記静電潜像に現像剤を供給し、感光体上に現像像を形成する現像装置と、前記現像像を記録材に転写させる転写器と、転写器を通過した感光体の表面を清掃する清掃装置とを備えた印刷装置において、
前記清掃装置に対して感光体移動方向下流側で、且つ前記帯電器に対して感光体移動方向上流側となる位置に、複数のブレード部材を、感光体移動方向において前後の位置関係で配置し、前記複数のブレード部材を、それぞれ独立に感光体表面に接離させるブレード駆動手段を備えたことを特徴とする印刷装置。
【発明の詳細な説明】
【技術分野】
【０００１】
本発明は、電子写真方式を用いて画像を形成する印刷装置に関するものである。
【背景技術】
【０００２】
近年、印刷装置に使われる記録材の多様化は益々進み、表面に圧着糊が存在する記録材や粘着ラベル付きの記録材の使用量が大幅に増えている。
【０００３】
感光体に形成された静電潜像に現像剤を供給して現像像を形成し、この現像像を記録材に転写させる印刷装置においては、転写行程において記録材と感光体とが接触するため、上述した圧着糊が存在する記録材や粘着ラベル付きの記録材に印刷を行った場合は、記録材の粘着物が感光体表面に付着してしまうことがある。
【０００４】
この種の印刷装置には、通常、感光体を清掃する清掃装置が設けられているが、従来の清掃装置は、静電気力によって感光体表面に付着した現像剤や紙粉などを、感光体から除去するものであり、糊などの粘着物を除去することまでは配慮されていなかった。
【０００５】
【特許文献１】特開２００２−２９６９９７号公報
【発明の開示】
【発明が解決しようとする課題】
【０００６】
粘着物が付着した感光体部分には、静電潜像が正しく形成できず、印刷品質を低下させてしまうという欠点がある。
【課題を解決するための手段】
【０００７】
本発明は、感光体を帯電させる帯電器と、帯電した感光体に静電潜像を形成する露光装置と、前記静電潜像に現像剤を供給し、感光体上に現像像を形成する現像装置と、前記現像像を記録材に転写させる転写器と、転写器を通過した感光体の表面を清掃する清掃装置とを備えた印刷装置において、前記清掃装置に対して感光体移動方向下流側で、且つ前記帯電器に対して感光体移動方向上流側となる位置に、複数のブレード部材を、感光体移動方向において前後の位置関係で配置し、前記複数のブレード部材を、それぞれ独立に感光体表面に接離させるブレード駆動手段を備えたことを特徴とする。
【発明の効果】
【０００８】
本発明によれば、感光体に付着した粘着物に対して、複数のブレード部材が粘着物と感光体の界面近傍で感光体から粘着物を切り離す操作が連続的に繰り返され、粘着物を感光体から除去するので、粘着物による印刷障害を低減することができる。
【発明を実施するための最良の形態】
【０００９】
以下、本発明の実施例を図面を用いて説明する。
【００１０】
図１は本発明の印刷装置の感光体周辺部の構成を示す概略図、図２はブレード駆動手段の構成図である。
【００１１】
図１において、感光体ドラム１は矢印方向に回転駆動されている。感光体ドラム１が回転を開始すると、帯電器２に高電圧が印加され、感光体ドラム１表面に例えば正の電荷が均一に帯電される。
【００１２】
露光装置３から出力したレーザビームは、感光体ドラム１上を走査しながら照射し、感光体ドラム１の表面に静電潜像を形成する。この静電潜像を保持した感光体ドラム１の領域が現像装置４と対向する位置に到達すると、静電潜像に現像剤が供給され、感光体ドラム１上に現像像が形成される。
【００１３】
感光体ドラム１上に形成された現像像は、転写部において、記録材５の背面側に現像像と逆極性の電荷を付与する転写器６の作用によって記録材５上に転写される。感光体ドラム１の転写部を通過した領域は、除電器７および清掃装置８を経て清掃される。通常の飛散した現像剤や紙粉は、清掃装置８によって回収されるが、転写部で記録材５から感光体ドラム１に移転した粘着物ｘは、清掃装置８を構成するクリーニングブラシの摺擦力では弱く、清掃装置８をすり抜けてしまう。
【００１４】
そこで、本発明においては、記録材５との接触により感光体ドラム１の表面に付着した粘着物ｘを除去するため、清掃装置８に対して感光体移動方向下流側で、且つ帯電器２に対して感光体移動方向上流側となる位置に、複数のブレード部材９，１０を設けた。
【００１５】
ブレード部材９とブレード部材１０は、図１に示すように、感光体移動方向において前後の位置関係となるように配置し、それぞれ独立に感光体ドラム１の表面に接離するようにブレード駆動手段を介して設けられている。
【００１６】
ブレード部材９，１０は、バネ性を有する金属板９ａ，１０ａに樹脂板９ｂ，１０ｂを貼り付けて構成されている。
【００１７】
通常の印刷においては、ブレード部材９，１０は、感光体ドラム１に当接しない位置に待機しており、所定の印刷量（例えば２万ページ）毎の非印刷時に、ソレノイド１１，１２が駆動されると、リンクアーム１３を介してブレード部材９，１０は回転軸１４を支点にして回動し、感光体ドラム２に当接する。さらにこの状態で感光体ドラム２を回転させると、粘着物ｘがブレード部材９との衝突により、粘着物ｘと感光体ドラム１の界面近傍にせん断力が発生し、粘着物ｘが感光体ドラム１から分離される。また、ブレード部材９において完全に粘着物ｘが分離できなかったとしても、ブレード部材９の後段に設置されたブレード部材１０によって分離される。
【図面の簡単な説明】
【００１８】
【図１】本発明の印刷装置の感光体周辺部の構成を示す概略図である。
【図２】ブレード駆動手段の構成図である。
【符号の説明】
【００１９】
１  感光体ドラム
２  帯電器
３  露光装置
４  現像装置
５  記録材
６  転写器
７  除電器
８  清掃装置
９，１０  ブレード部材
１１，１２  ソレノイド
１３  リンクアーム
１４  回転軸
【図１】
2007298640.tif 000003
【図２】
2007298640.tif 000004
(57)【要約】【課題】      足を使って、通常指で扱う鍵盤楽器を演奏する。【解決手段】      ピアノのハンマーに似た形の物を靴の親指側の先端に取り付け固定する事で、鍵盤楽器の一音の幅よりも靴の先端に取り付けたハンマーが狭いことで一音のみを出すことで演奏可能にする。【選択図】      図４
2007298630.tif 000002
【特許請求の範囲】
【請求項１】
通常の鍵盤楽器もしくは、小型の鍵盤楽器の白い鍵盤よりも幅の狭いハンマーと、前記ハンマーを靴に取り付ける部品によって、鍵盤楽器を足で演奏可能にする、演奏補助器具。
【発明の詳細な説明】
【技術分野】
【０００１】
本発明は、鍵盤楽器の演奏に関する。
【背景技術】
【０００２】
エレクトーンの一部で足鍵盤と呼ばれる物がある。
【０００３】
アコースティックピアノの構造に、指で鍵盤を弾くとピアノの中のハンマーが弦を叩き音が出るという仕組みになっている。
【特許文献１】特開２０００−１５５５７８号公報
【発明の開示】
【発明が解決しようとする課題】
【０００４】
足で音を出し演奏する楽器はエレクトーンの一部足鍵盤は、持ち運びが不便であった。
【０００５】
通常の鍵盤楽器（ドからドまで約１８センチ）や小型の鍵盤楽器に対し、足鍵盤はドから一オクターブ上のドまで約４４センチあった。
【０００６】
足鍵盤の黒い鍵盤を演奏する際、演奏者はかかとを地面から離していた（白い鍵盤も一緒に踏んでしまうため）。
【０００７】
通常の鍵盤楽器はド＃やファ＃といった黒い鍵盤は白い鍵盤の約半分しかないため。指で弾く分には問題ないが、足で演奏する際に黒い鍵盤の幅が狭いためピンポイントで当てなければならず、演奏上非常に困難である。
【０００８】
演奏以外の時に靴に取り付けたハンマーが、歩くときや邪魔であり、そのまま地面を踏むと壊れたりする。
【課題を解決するための手段】
【０００９】
エレクトーンの一部である足鍵盤を使用するのではなく、通常指で演奏する鍵盤楽器を床に置き、ほぼそのままの状態で足をつかって演奏するために、ピアノの音を出す際に演奏者が鍵盤を押すと中のハンマーと呼ばれる部品が弦を叩く事により、弦が響く仕組みになっているが、その弦を叩くハンマーに似た形の物を靴の親指側の先端に取り付け固定する事で、演奏者が裸足、もしくは靴を履いた状態では、自分の出したい音、例えばドであった場合、隣のレとシも一緒に出してしまう、通常足で鍵盤楽器を演奏する事は不可能である。鍵盤楽器の一音の幅よりも靴の先端に取り付けたハンマーが狭いことで一音のみを出すことを可能である。
【００１０】
足鍵盤は足のサイズに合わせて作られているが、鍵盤楽器のサイズに合うように、靴の先にピアノの音を出す際に演奏者が鍵盤を押すと中のハンマーと呼ばれる部品が弦を叩く事により、弦が響く仕組みになっているが、その弦を叩くハンマーに似た形の物を靴の親指側の先端に取り付け固定する事で、演奏者が裸足、もしくは靴を履いた状態では、自分の出したい音、例えばドであった場合、隣のレとシも一緒に出してしまう事があるため、通常足で鍵盤楽器を演奏する事は不可能であった。しかし鍵盤楽器の一音の幅よりも靴の先端に取り付けたハンマーが狭いことで一音のみを出すことができる事で通常の鍵盤楽器を演奏可能にする。
【００１１】
靴の先に取り付けたハンマーが真下に垂直に伸びていることでかかとを上げずに黒い鍵盤だけを押すことが出来る。
【００１２】
黒い鍵盤に約縦の長さ０．８センチ、横１．６センチ、厚さ０．２センチ程の木材を張ることにより幅の狭さは克服できるが、材質がアルミなど鉄製の場合、音の強弱が効かなくなる（弱く弾いても強の音が出る）ため重さが軽い材質使用すること。
【００１３】
靴の裏にハンマーがそのまま地面に着かないようにカバーをつける事、カバーは黒い鍵盤をハンマーが押したときに、白い鍵盤も押さない位置に着けること。
【発明の効果】
【００１４】
エレクトーンの一部であり主にベース音を弾くだけの足鍵盤に比べ、持ち運びに優れ、メロディを弾くなど、演奏上有利な点も多く、足鍵盤を指で弾く人がいないのに対し、指でも足でもどちらで弾くか選ぶことが出来る。
【発明を実施するための最良の形態】
【００１５】
本発明の試作品では、靴にボルトで固定しているが、取り外し可能であれば、更によいと思われる
【産業上の利用可能性】
【００１６】
一般に最も普及していると思われるギターは、演奏者がアマチュアであった場合チューニングメーター等にたよるケースが多いと思うが、本発明を用いてチューニングする事により演奏だけでなく、音感も鍛えることが出来る。チューニングメーターと同じ位のもしくはそれよりも安く販売することが可能とも思われ、ギタリストに普及すれば、キーボードやシンセサイザーといった鍵盤楽器の売り上げも上り、タブ譜ではなく譜面にも対応しやすくなると予想される。
【図面の簡単な説明】
【００１７】
【図１】本発明の側面から見た図である。
【図２】本発明の正面から見た図である。
【図３】本発明の図による説明。
【図４】本発明の図による説明。
【符号の説明】
【００１８】
１    鍵盤楽器の音ではなく、鍵盤とハンマーが当たった時に出る音を抑えるための物、試作品ではゴム製の物を使用。
２    ハンマー、試作品では木材を使用。
３    ハンマーが細いため折れるのを防ぐカバー、試作品ではボルトでベース版と固定するための部品、プラスティック製の物を使用。
４    靴に固定するベース版、鉄製。
５    カバー。
６  鍵盤楽器
７  木材
８  本発明
９  靴
【図１】
2007298630.tif 000003
【図２】
2007298630.tif 000004
【図３】
2007298630.tif 000005
【図４】
2007298630.tif 000006
(57)【要約】      （修正有）【課題】広告媒体の取替えが容易で夜間でも視認が容易な宣伝広告用車両を提供する。【解決手段】車両荷台部分をボックス化し、外枠と止め具を用い広告パネルを着脱式にし、柱を除くボックス面部分は透明パネルで構成し、内部に照明を設置。車両はリフト式を使用し、上昇・傾斜にて媒体に変化を持たせ、スピーカーは底面に設置して隠す。【選択図】図２
2007298928.tif 000002
【特許請求の範囲】
【請求項１】
荷台部分をボックス形状とし、柱を除く面部分を透明板で構成した事を特徴とする車両。
【請求項２】
前記に広告パネル着脱用外枠と止め具を設けた事を特徴とする請求項１記載の車両。
【請求項３】
内部に電飾用照明を装置した事を特徴とする請求項２記載の車両。
【請求項４】
リフトダンプ上に媒体を設置した事を特徴とする請求項３記載の車両。
【請求項５】
スピーカーを荷台底部に設置した事を特徴とする請求項４の車両。
【発明の詳細な説明】
【技術分野】この発明は、宣伝広告用車両における広告媒体の仕様及び形状に関する
【背景技術】
【００１】従来の広告用車両は車体直接のラッピングや、バス等輸送車両への着脱方式。音声用スピーカーは外部に設置。【００２】従来の展示用車両は荷台をオープンにして荷台上に媒体を展示。
【発明の開示】
【発明が解決しようとする課題】
【００３】しかしながら、以上の技術によれば、時間単位での広告媒体取替えは困難。費用も固定化する。【００４】輸送車両の媒体は、移動エリアが事前に決まっていて、希望エリアへのピンポイント利用が不可能。【００５】夜間では、媒体自体が確認しづらく宣伝効果が極めて薄れる。【００６】媒体の形状を変える事が出来ず、媒体自体に注目を集められない。【００７】スピーカーが美観を損ねる。【００８】媒体展示して、走行出来ない。
【発明を解決するための手段】
【００９】第一発明は、車両荷台部分をボックス型にし、広告パネル着脱用外枠の設置並びに、止め具で構成した事を特徴とする車両である。
【０１０】第二発明は、車両ボックスの、柱を除く面部分を透明パネルで構成し、内部に照明を設置。展示走行可能並びに、電飾パネルでの宣伝広告を可能にした事を特徴とする車両である。
【０１１】第三発明は、車両本体にリフトを使用。荷台上昇や傾斜を特徴とした車両である。
【０１２】第四発明は、車両底面にスピーカーを設置した事を特徴とする車両である。
【発明の効果】
【０１３】第一発明は、有効時間のみでの利用を可能にし、トータルでの宣伝広告費を抑えられる。
【０１４】第二発明は、夜間でも広告媒体が確認出来る。
【０１５】第三発明は、車体の形を変える事で、注目度が増し、宣伝効果が向上する。
【０１６】第四発明は、美観を損ねず音楽や音声による宣伝が出来る。
【発明を実施するための最良の形態】［図１］本発明の外観構成を示す。［図２］パネル着脱用外枠並びに、媒体ボックス面部分の透明パネル構成を示す。天井部止め具は固定式、前後・サイド止め具は取り外し式。［図３］媒体上昇時の形状を示す。［図４］媒体傾斜時の形状を示す。［図５］車体底部へのスピーカーの設置位置を示す。
【図面の簡単な説明】
【０１７】
【図１】本発明の一実施形態による宣伝広告用複合車両の外観を示す図である
【図２】パネル着脱用外枠・止め具並びに本体透明パネルを示すブロック図である。
【図３】媒体上昇時の形状を示す図である。
【図４】媒体傾斜時の形状を示す図である。
【図５】スピーカー設置位置を示すブロック図である。
【図１】
2007298928.tif 000003
【図２】
2007298928.tif 000004
【図３】
2007298928.tif 000005
【図４】
2007298928.tif 000006
【図５】
2007298928.tif 000007
(57)【要約】【課題】  接着剤を用いるとＬＥＤの固定に手間と時間を要する。【解決手段】  取付基板１０の挿入穴１０ＡにＬＥＤ１を挿入し、上方から止め輪１１をＬＥＤ１に嵌合させて下動させ、基板１０に当接させる。止め輪１１の各抜け防止突起１２は弾性力によりＬＥＤ１周面に強く押し付けられ、ＬＥＤ１が抜け出し方向に移動しようとすると弾性力により閉じる。従って、ＬＥＤ１の抜け出しが防止される。【選択図】        図１
2007298090.tif 000002
【特許請求の範囲】
【請求項１】
部品が突出して挿入される挿入穴を有する取付基板と、前記挿入穴の縁部に配されて該挿入穴の内方へ向かって突出し、前記部品の挿入方向への移動を許し、前記部品に抜け出し力を受けると該部品の周面に係止する複数の抜け防止突起と、
を含むことを特徴とする部品の抜け防止構造。
【請求項２】
前記複数の抜け防止突起は前記取付基板の前記挿入穴の縁部に一体形成されていることを特徴とする請求項１記載の部品の抜け防止構造。
【請求項３】
前記複数の抜け防止突起は、前記部品が貫挿されて前記取付基板の板面に当接される止め輪に設けられることを特徴とする請求項１記載の部品の抜け防止構造。
【請求項４】
前記部品はＬＥＤであることを特徴とする請求項１記載の部品の抜け防止構造。
【発明の詳細な説明】
【技術分野】
【０００１】
本発明は、ＬＥＤ等の部品を取付基板に挿入して取付けるための抜け防止構造に関する。
【背景技術】
【０００２】
近年、ＬＥＤを多数配置して信号機等の表示部として用いられることが多くなってきている。このように多数のＬＥＤを配置するためには、従来、多数の挿入穴を設けた取付基板に対し各ＬＥＤを各挿入穴に突出させて挿入することが行われている。そして、ＬＥＤは接着剤を介して取付基板に固着され、これにより基板からの抜け出しが防止されている。
【発明の開示】
【発明が解決しようとする課題】
【０００３】
しかし、上記接着剤は人的にＬＥＤ又は取付基板に塗布されているので、この塗布作業に多大な手間と時間を要する上に熟練度が要求されてしまう。
本発明は、ＬＥＤ等の部品を取付基板に抜け出しを防止して簡単かつ作業性よく取付けることができる抜け防止構造を提供することを目的とする。
【課題を解決するための手段】
【０００４】
本発明の部品の抜け防止構造は、部品が突出して挿入される挿入穴を有する取付基板と、挿入穴の縁部に該挿入穴の内方へ突出して設けられ、部品の挿入方向への移動を許し、部品の抜け出し力を受けると部品の周面に係止する複数の抜け防止突起と、を含むことを特徴とする。
【０００５】
上記複数の抜け防止突起は、取付基板の挿入穴の縁部に一体的に形成してもよく、又は取付基板の板面に当接させる止め輪に設けるようにしてもよい。
【０００６】
上記部品はＬＥＤ等の電気部品や機構的部品であり、樹脂封止等により円筒状又は角柱状の外形を有していれば、本発明を適用することが可能である。
【発明の効果】
【０００７】
本発明によれば、取付基板の挿入穴に、例えば、筒状の部品が下方から上方へ向けて挿入された場合に、部品に対し下方の押圧力が抜け出し力として加わると、部品の周面に抜け防止突起の先端が弾性力により相互に接近して係止し、抜け出しを防止する。
【０００８】
従って、部品を単に挿入穴に挿入するだけで取付基板に固定的に取付けることができるので、簡単かつ作業性よく部品を取付基板に装着させることができる。
【実施例１】
【０００９】
以下、本発明の実施例を図面を参照して詳細に説明する。
【００１０】
図１は本発明に係る抜け防止構造の一例を示す断面図である。
【００１１】
この図１において、１０は取付基板を示している。この取付基板１０はステンレス基板から成り、ＬＥＤ１の取付けるべき位置に多数の挿入穴１０Ａが設けられている（図１では１つのみ示す）。ＬＥＤ１は透明樹脂により円筒状に封止された本体１Ａを有し、下端にフランジ部２が形成されている。取付基板１０上には止め輪１１が配されている。
【００１２】
止め輪１１は、図２に示すように、内側に複数の抜け防止突起１２が設けられている。各抜け防止突起１２は止め輪１１の板面に対し６０度の角度で折り曲げられている。本実施例では、止め輪１１はステンレス板を打抜き形成することで各突起１２が一体形成されており、各突起１２は弾性を有している。
【００１３】
次に、ＬＥＤ１の取付態様を説明する。
図１に示すように、取付基板１０の挿入穴１０Ａに、ＬＥＤ１を下方から上方へ向けて挿入し、フランジ部２を取付基板１０の下面に当接させる。
【００１４】
次に、上方から止め輪１１をＬＥＤ１に嵌合させ、止め輪１１を下動させて取付基板１０の上面に当接させる。
【００１５】
ところで、止め輪１１を下動させる際には、複数の抜け防止突起１２はＬＥＤ１の本体１Ａ周面に摺接して相互に離れる（上記角度６０を大きくする）方向に開き、ＬＥＤ１に対する相対的移動を許す。
【００１６】
一方、各抜け防止突起１２は、取付基板１０に当接した状態では、折り曲げ角６０度より大きい角度で開き、自己の弾性力により先端をＬＥＤ１の本体１Ａ周面に強く押し付け係止している。従って、図３に示すように、ＬＥＤ１に下方への抜け出し力が加わった場合、各突起１２は弾性力により相互に接近するように閉じようとするので、ＬＥＤ１の下方への移動を阻止する。よって、各突起１２によりＬＥＤ１の抜け出しを確実に防止することができる。
【００１７】
止め輪１１（突起１２を含む）は、突起１２に弾性力を保持させることが可能な材料であれば形成でき、例えば、プラスチック材から形成してもよい。
【００１８】
また、抜け防止突起１２は、二以上設ければよく、部品の寸法や材料等に応じてその数を設定すればよく、又折り曲げ角は５度〜７０度に設定すればよい。
尚、取付基板１０が湾曲していても本発明を適用することが可能である。
【実施例２】
【００１９】
図４は他の実施例を示している。この実施例では、取付基板１０の挿入穴１０Ａの縁部に、複数の抜け防止突起１２Ａが一体的に形成されている。基板１０はステンレスから形成され、各突起１２Ａが打抜きにより設けられている。そして、各突起１２Ａは例えば、４５度の角度で折り曲げられて弾性を有している。
【００２０】
従って、これら抜け防止突起１２ＡによりＬＥＤ１の抜け出しを同様に防止することができる。
【図面の簡単な説明】
【００２１】
【図１】本発明の実施例１に係る断面図である。
【図２】実施例１の止め輪の平面図である。
【図３】実施例１の動作を説明する断面図である。
【図４】本発明の実施例２に係る断面図である。
【符号の説明】
【００２２】
１Ａ  本体
２    フランジ部
１０  取付基板
１０Ａ  挿入穴
１１    止め輪
１２    突起
１２Ａ  突起
【図１】
2007298090.tif 000003
【図２】
2007298090.tif 000004
【図３】
2007298090.tif 000005
【図４】
2007298090.tif 000006